(57)【要約】【課題】  本発明は、ダイナミックダンパーの重錘の固有振動数を調整するためのダイナミックダンパー調整用バネユニットのコイルバネを重錘の中央下部または中央上部にコンパクトに１つにまとめることによりダイナミックダンパーの調整時に開口する点検口を小さくすることが出来、調整作業も行い易く、重錘の振動にねじれを発生させず、重錘の動きもスムーズに出来るダイナミックダンパー調整用バネユニット及びそれを備えたダイナミックダンパー並びにダイナミックダンパーの調整方法を提供することを可能にすることを目的としている。【解決手段】  重垂５の振動方向の固有振動数を調整するためのコイルバネ８と、該コイルバネ８の一端を重錘５の中央下部に接続するための第１の取付体となる連結板９と、コイルバネ８の他端をフレーム３に接続するための第２の取付体となる枠体10とを有してダイナミックダンパー調整用バネユニット７を構成したことを特徴とする。【選択図】      図１
2008101390.tif 000002
【特許請求の範囲】
【請求項１】
建物構造体に固定されるフレームと、該フレームに対して振動可能に支持された重錘と、を有するダイナミックダンパーの該重錘の固有振動数を調整するためのダイナミックダンパー調整用バネユニットであって、
前記重錘の振動方向の固有振動数を調整するためのコイルバネと、
前記コイルバネの一端を前記重錘の中央下部または中央上部に接続するための第１の取付体と、
前記コイルバネの他端を前記フレームに接続するための第２の取付体と、
を有することを特徴とするダイナミックダンパー調整用バネユニット。
【請求項２】
前記重錘の固有振動数の調整方向が同一水平面上で且つ互いに直交する２方向に設定され、前記第１の取付体を中心にして、それぞれ一対以上のコイルバネを有することを特徴とする請求項１に記載のダイナミックダンパー調整用バネユニット。
【請求項３】
前記重錘の固有振動数の調整方向が高さ方向に異なる水平面上で且つ互いに直交する２方向に前記第１の取付体を中心にして、それぞれ一対以上のコイルバネが設置されたことを特徴とする請求項１に記載のダイナミックダンパー調整用バネユニット。
【請求項４】
前記第２の取付体は方形状の枠体からなることを特徴とする請求項１〜３の何れか１項に記載のダイナミックダンパー調整用バネユニット。
【請求項５】
請求項１〜４の何れか１項に記載のダイナミックダンパー調整用バネユニットを着脱可能に設けたことを特徴とするダイナミックダンパー。
【請求項６】
建物構造体に固定されるフレームと、該フレームに対してバネによって振動可能に支持された重錘と、を有するダイナミックダンパーの該重錘の固有振動数を調整するダイナミックダンパーの調整方法であって、
請求項１〜４の何れか１項に記載のダイナミックダンパー調整用バネユニットの前記第１の取付体を前記フレームの底面側または上面側から前記重錘の中央下部または中央上部に着脱可能に取り付けると共に、前記第２の取付体を前記フレームの底面または上面に着脱可能に取り付けておき、
前記ダイナミックダンパーの調整時に前記ダイナミックダンパー調整用バネユニットを前記フレーム及び前記重錘から取り外した状態で、前記ダイナミックダンパー調整用バネユニットに取り付けられた前記コイルバネのバネ定数を調整することにより、前記重錘の固有振動数を調整することを特徴とするダイナミックダンパーの調整方法。
【発明の詳細な説明】
【技術分野】
【０００１】
本発明は、建物構造体に固定されるフレームと、該フレームに対して振動可能に支持された重錘と、を有するダイナミックダンパーの該重錘の固有振動数を調整するためのダイナミックダンパー調整用バネユニット及びそれを備えたダイナミックダンパー並びにダイナミックダンパーの調整方法に関するものである。
【背景技術】
【０００２】
近年では中低層の住宅に対して、強風による風振動や道路を走行する自動車等による交通振動等の環境振動が問題視されている。日常的に発生する環境振動については、非常に微少な振幅の振動ではあるが、居住者に対しては日常生活において大きな影響を与えることがある。特に鉄骨３階建て住宅は、高い耐震性とプラン自由度がある反面、交通振動により発生する振動や、内部の人の動きにより発生する振動と建物の固有振動数が比較的近いために、これらの振動の影響を受け易い。これらの振動を効果的に低減させるために近年では建物にダイナミックダンパー（ＴＭＤ；Tuened Mass Damper；同調振動系型ダンパー）を設置するケースが増えている。
【０００３】
従来、上記環境振動に対応した制振装置の重錘の固有振動数を微調整する方法としてバネを剛性の異なるものに取り替えたり、バネの本数を調整したり、或いは、特開２００１−２５４７７５号公報（特許文献１）に記載されたように、フレームと重錘間に、該重錘の振動方向と同一方向にバネをとりつけ、そのバネのバネ定数を変化させることにより、重錘の固有振動数を変化させて微調整する方法がある。
【０００４】
また一方で、ダイナミックダンパーは建物の上部に設置されるため、天井裏内に設置されることが多く、重錘の固有振動数の調整作業は脚立に立って不安定な姿勢で、天井に設けられた点検口をのぞき込みながら作業される。
【０００５】
例えば、特開２００３−１６６３６５号公報（特許文献２）及び特開２００５−５４３６０号公報（特許文献３）には、１つの重錘に対して複数個のダンパー調整用ユニットを設けたことが記載されている。また、特開２００１−１２４１３６号公報（特許文献４）には制振装置の中央部に振動系の固有振動数を調節する振動数調節機構が設けられたことが記載されている。
【０００６】
【特許文献１】特開２００１−２５４７７５号公報
【特許文献２】特開２００３−１６６３６５号公報
【特許文献３】特開２００５−０５４３６０号公報
【特許文献４】特開２００１−１２４１３６号公報
【発明の開示】
【発明が解決しようとする課題】
【０００７】
しかしながら、前述の特許文献１の技術では、制振用のバネを直接調整するため重錘の固有振動数を微調整することがし難いという問題が有り、特許文献２、３の技術では、１つの重錘に対して複数個のダンパー調整用ユニットを用意しなければならず、調整時にも複数個のダンパー調整用ユニットを個別に調整しなければならず、天井の開口部も広い面積で必要となってしまうという問題がある。
【０００８】
また、特許文献４の技術では、１つの重錘に対して１つの振動数調節機構を用意したものであるものの、構造が複雑であるため一旦設置した後で再調節する場合には天井等の点検口から振動数調節機構のみを容易に取り外して調整することが出来ないという問題があった。
【０００９】
本発明は前記課題を解決するものであり、その目的とするところは、ダイナミックダンパーの重錘の固有振動数を調整するためのダイナミックダンパー調整用バネユニットのコイルバネを重錘の中央下部または中央上部にコンパクトに１つにまとめることによりダイナミックダンパーの調整時に開口する点検口を小さくすることが出来、調整作業も行い易く、重錘の振動にねじれを発生させず、重錘の動きもスムーズに出来るダイナミックダンパー調整用バネユニット及びそれを備えたダイナミックダンパー並びにダイナミックダンパーの調整方法を提供せんとするものである。
【課題を解決するための手段】
【００１０】
前記目的を達成するための本発明に係るダイナミックダンパー調整用バネユニットの第１の構成は、建物構造体に固定されるフレームと、該フレームに対して振動可能に支持された重錘と、を有するダイナミックダンパーの該重錘の固有振動数を調整するためのダイナミックダンパー調整用バネユニットであって、前記重錘の振動方向の固有振動数を調整するためのコイルバネと、前記コイルバネの一端を前記重錘の中央下部または中央上部に接続するための第１の取付体と、前記コイルバネの他端を前記フレームに接続するための第２の取付体とを有することを特徴とする。
【００１１】
また、本発明に係るダイナミックダンパー調整用バネユニットの第２の構成は、前記第１の構成において、前記重錘の固有振動数の調整方向が同一水平面上で且つ互いに直交する２方向に設定され、前記第１の取付体を中心にして、それぞれ一対以上のコイルバネを有することを特徴とする。
【００１２】
また、本発明に係るダイナミックダンパー調整用バネユニットの第３の構成は、前記第１の構成において、前記重錘の固有振動数の調整方向が高さ方向に異なる水平面上で且つ互いに直交する２方向に前記第１の取付体を中心にして、それぞれ一対以上のコイルバネが設置されたことを特徴とする。
【００１３】
また、本発明に係るダイナミックダンパー調整用バネユニットの第４の構成は、前記第１〜第３の構成において、前記第２の取付体は方形状の枠体からなることを特徴とする。
【００１４】
また、本発明に係るダイナミックダンパーは、前述の第１〜第４の構成のダイナミックダンパー調整用バネユニットを着脱可能に設けたことを特徴とする。
【００１５】
また、本発明に係るダイナミックダンパーの調整方法は、建物構造体に固定されるフレームと、該フレームに対してバネによって振動可能に支持された重錘と、を有するダイナミックダンパーの該重錘の固有振動数を調整するダイナミックダンパーの調整方法であって、前述の第１〜第４の構成のダイナミックダンパー調整用バネユニットの前記第１の取付体を前記フレームの底面側または上面側から前記重錘の中央下部または中央上部に着脱可能に取り付けると共に、前記第２の取付体を前記フレームの底面または上面に着脱可能に取り付けておき、前記ダイナミックダンパーの調整時に前記ダイナミックダンパー調整用バネユニットを前記フレーム及び前記重錘から取り外した状態で、前記ダイナミックダンパー調整用バネユニットに取り付けられた前記コイルバネのバネ定数を調整することにより、前記重錘の固有振動数を調整することを特徴とする。
【発明の効果】
【００１６】
本発明に係るダイナミックダンパー調整用バネユニットの第１の構成によれば、複数のコイルバネの一端を重錘の中央下部または中央上部に設けられる第１の取付体に集中して接続することによりダイナミックダンパーの重錘の固有振動数を調整するためのダイナミックダンパー調整用バネユニットのコイルバネを重錘の中央下部または中央上部にコンパクトに１つにまとめることが出来、ダイナミックダンパーの調整時に開口する点検口を一箇所で且つ小さくすることが出来、調整作業も行い易く、重錘の振動にねじれを発生させず、重錘の動きもスムーズに出来る。
【００１７】
また、本発明に係るダイナミックダンパー調整用バネユニットの第２の構成によれば、重錘の固有振動数の調整方向が同一水平面上で且つ互いに直交する２方向に設定され、第１の取付体を中心にして、それぞれ一対以上のコイルバネを有する構成とすることで、直交する２方向に対する重錘の固有振動数を調整することが出来る。
【００１８】
また、本発明に係るダイナミックダンパー調整用バネユニットの第３の構成によれば、重錘の固有振動数の調整方向が高さ方向に異なる水平面上で且つ互いに直交する２方向に第１の取付体を中心にして、それぞれ一対以上のコイルバネを設置した構成とすることで、直交する２方向に配置されるコイルバネをそれぞれ高さ方向に異なる水平面上に段違いに配置出来るので、第１の取付体を平面方形状とした場合のデッドスペースをなくすことが可能となり、ダイナミックダンパーの調整時に開口する点検口をより小さくするか若しくはそのスペースにより多くのコイルバネを設置することが出来る。
【００１９】
また、本発明に係るダイナミックダンパー調整用バネユニットの第４の構成によれば、第２の取付体を方形状の枠体とすることで、ダイナミックダンパー調整用バネユニット全体がコンパクトに一体化出来るので、フレームに対して容易に一体的に着脱することが出来る。
【００２０】
また、本発明に係るダイナミックダンパーによれば、ダイナミックダンパーの調整時にダイナミックダンパー調整用バネユニットを点検口から容易に着脱することが出来るので調整作業も行い易く、開口する点検口を中央部の一箇所で且つ小さくすることが出来、重錘の振動にねじれを発生させず、重錘の動きもスムーズに出来るダイナミックダンパーとして構成出来る。
【００２１】
また、本発明に係るダイナミックダンパーの調整方法によれば、ダイナミックダンパーの調整時に一箇所の小さな点検口からダイナミックダンパー調整用バネユニットをフレーム及び重錘から容易に取り外すことが出来、取り外した状態で、ダイナミックダンパー調整用バネユニットに取り付けられたコイルバネのバネ定数を調整した後、再度、一箇所の小さな点検口からダイナミックダンパー調整用バネユニットをフレーム及び重錘に容易に取り付けることが出来、簡単な操作で重錘の固有振動数を容易に調整することが出来る。
【発明を実施するための最良の形態】
【００２２】
図により本発明に係るダイナミックダンパー調整用バネユニット及びそれを備えたダイナミックダンパー並びにダイナミックダンパーの調整方法の一実施形態を具体的に説明する。図１は本発明に係るダイナミックダンパー調整用バネユニットを備えたダイナミックダンパーの第１実施形態の構成を示す断面説明図、図２（ａ）は本発明に係るダイナミックダンパー調整用バネユニットを備えたダイナミックダンパーの第１実施形態の構成を示す平面図、図２（ｂ）は本発明に係るダイナミックダンパー調整用バネユニットを備えたダイナミックダンパーの第２実施形態の構成を示す平面図、図３は本発明に係るダイナミックダンパー調整用バネユニットを備えたダイナミックダンパーの第２実施形態の構成を示す分解斜視図である。
【００２３】
図１及び図２（ａ）において、建物構造体となる梁材１の下フランジ１ａ上にアングル材２が載置して固定され、該アングル材２にダイナミックダンパー６のフレーム３が固定されている。フレーム３の底面部３ｂ上には重錘支持体となる積層ゴム17とバネ４により重錘５が振動可能に支持されている。フレーム３の起立した側辺部３ａと重錘５の間にはバネ４が取り付けられている。このようにダイナミックダンパー６は構成されている。
【００２４】
尚、重錘支持体としては積層ゴム17の代わりに球体を介して振動可能に支持する構成でも良いし、バネ４の代わりにゴム等の弾性部材によって重錘５を振動可能に支持することでも良い。
【００２５】
７は重錘５の固有振動数を調整するためのダイナミックダンパー調整用バネユニットであり、重錘５の振動方向の固有振動数を調整するためのコイルバネ８と、該コイルバネ８の一端を重錘５の中央下部に接続するための第１の取付体となる方形状の連結板９と、コイルバネ８の他端をフレーム３に接続するための第２の取付体となる方形状の枠体10とを有して構成されている。本実施形態の枠体10は断面Ｌ字形状で構成され、起立片からなる側辺部10ａと水平片からなるフランジ部10ｂとを有して中央部が貫通した方形状の枠体形状で構成される。
【００２６】
コイルバネ８の両端部は連結板９及び枠体10に設けられた孔、爪、アーム等の種々の係止手段により着脱可能に係止されている。
【００２７】
アングル材２の下方に配置された天井板12にはダイナミックダンパー調整用バネユニット７の真下に対応する位置で第２の取付体となる枠体10の外形に対応する大きさを有する点検口13が設けられており、扉12ａを開放して点検口13からダイナミックダンパー調整用バネユニット７を取り外し、或いは取り付け作業が出来るように構成されている。
【００２８】
フレーム３の底面部３ｂには枠体10の側辺部10ａが挿通し得る方形状の開口部3b1が形成されており、点検口13側から該開口部3b1に枠体10の側辺部10ａを挿入して該枠体10のフランジ部10ｂをフレーム３の底面部３ｂの下面側に当接し、該フランジ部10ｂに形成された貫通孔10b1及びフレーム３の底面部３ｂに形成された貫通孔3b2に点検口13側からボルト14を挿通し、該フレーム３の底面部３ｂに形成された貫通孔3b2に対応して該底面部３ｂの上面に溶接されたナット部15に該ボルト14を螺合して締結することによりコイルバネ８の他端が第２の取付体となる枠体10を介してフレーム３に接続される。
【００２９】
本実施形態のダイナミックダンパー調整用バネユニット７は、図１及び図２（ａ）に示すように、重錘５の固有振動数の調整方向が同一水平面上で且つ互いに直交する２方向（Ｘ方向、Ｙ方向）に設定され、第１の取付体となる連結板９を中心にして、それぞれ一対以上のコイルバネ８を有して構成されている。
【００３０】
方形状で構成された重錘５の中央下部には第１の取付体となる連結板９を着脱可能に取付けるための取付部となるボルト部材11が垂下して突設されており、点検口13側から連結板９の中央部に形成された貫通孔９ａに該ボルト部材11を挿通し、該ボルト部材11にナット18を螺合して締結することにより第１の取付体となる連結板９が重錘５の中央下部に固定され、これにより、コイルバネ８の一端が重錘５の中央下部に接続される。尚、図中19はロックナットである。
【００３１】
上記構成のダイナミックダンパー６の調整方法としては、ダイナミックダンパー調整用バネユニット７の第１の取付体となる連結板９をフレーム３の底面側から重錘５の中央下部に設けられたボルト部材（平行雄ネジ）11に対して着脱可能に取り付けると共に、第２の取付体となる枠体10をフレーム３の底面部３ｂに着脱可能に取り付けておき、ダイナミックダンパー６の調整時にナット18を取り外して第１の取付体となる連結板９をボルト部材11から取り外すと共に、ボルト14を取り外して第２の取付体となる枠体10をフレーム３から取り外すことでダイナミックダンパー調整用バネユニット７をフレーム３及び重錘５から取り外した状態で、ダイナミックダンパー調整用バネユニット７に取り付けられたコイルバネ８のバネ定数を調整することにより、重錘５の固有振動数を調整することが出来る。
【００３２】
ここで、コイルバネ８のバネ定数を調整する方法としては、コイルバネ８の本数を変更するか、コイルバネ８の太さを変更してバネ定数を変更するか、コイルバネ８の可変位長を変更する等によりコイルバネ８のバネ定数を調整することが出来る。
【００３３】
図２（ｂ）及び図３は本発明に係るダイナミックダンパー調整用バネユニットを備えたダイナミックダンパーの第２実施形態の構成を示し、重錘５の固有振動数の調整方向が高さ方向に異なる水平面上で且つ互いに直交する２方向（Ｘ方向、Ｙ方向）に第１の取付体となる連結板21，22を中心にして、それぞれ一対以上のコイルバネ８を設置して構成されている。
【００３４】
本実施形態の第１の取付体となる連結板21は断面ハット型で構成されており、連結板22は断面Ｔ字形状で構成されている。尚、第１の取付体となる連結板21，22は両方とも断面ハット型で構成することも出来る。
【００３５】
低い位置に配置される連結板21の突出部21ａは上に凸となるように配置され、高い位置に配置される連結板22の突出部22ａは下に凸となるように配置される。そして、該突出部21ａ，22ａに形成された貫通孔21a1，22a1を図１に示して前述した第１実施形態と同様に重錘５の中央下部に垂下して突出されたボルト部材11に挿通して該ボルト部材11にナット18を螺合締結することによりコイルバネ８の一端が着脱可能に係止された第１の取付体となる連結板21，22を介して該コイルバネ８の一端が重錘５の中央下部に接続される。
【００３６】
コイルバネ８の他端は第２の取付体となる枠体10の側辺部10ａに設けられた図示しない係止手段により高さ方向に異なる水平面上で且つ互いに直交する２方向（Ｘ方向、Ｙ方向）に着脱可能に係止されており、互いに直交する２方向（Ｘ方向、Ｙ方向）に段違いに配置されるコイルバネ８はそれぞれ干渉しない位置でそれぞれの方向に振動可能に支持される。
【００３７】
本実施形態の場合、図２（ａ），（ｂ）に示して比較するように、第１実施形態でコイルバネ８を同一水平面上で互いに直交する２方向（Ｘ方向、Ｙ方向）に配置した場合、枠体10内の４隅にデッドスペース16が生じるが、第２実施形態のようにコイルバネ８を高さ方向に異なる水平面上で互いに直交する２方向（Ｘ方向、Ｙ方向）に段違いで配置することで、第１実施形態のようなデッドスペース16が生じることがなく、スペースの有効利用が出来る。他の構成は前記第１実施形態と同様に構成され、同様な効果を得ることが出来る。
【００３８】
尚、前記各実施形態では、第１の取付体となる連結板９或いは連結板21，22を重錘５の中央下部に着脱可能に取り付け、該第１の取付体となる連結板９或いは連結板21，22をフレーム３の底面部３ｂ側から重錘５の中央下部に着脱可能に取り付け、第２の取付体となる枠体10をフレーム３の底面部３ｂに着脱可能に取り付けて天井板12に設けられた点検口13から操作する場合の一例について説明したが、天地を逆転した他の構成として、第１の取付体となる連結板９或いは連結板21，22を重錘５の中央上部に着脱可能に取り付け、該第１の取付体となる連結板９或いは連結板21，22をフレーム３の上面側から重錘５の中央上部に着脱可能に取り付け、第２の取付体となる枠体10をフレーム３の上面に着脱可能に取り付けてダイナミックダンパー６の上方から操作する構成でも良い。
【００３９】
上記構成によれば、複数のコイルバネ８の一端を重錘５の中央下部または中央上部に設けられる第１の取付体となる連結板９，21，22に集中して接続することによりダイナミックダンパー６の重錘５の固有振動数を調整するためのダイナミックダンパー調整用バネユニット７のコイルバネ８を重錘５の中央下部または中央上部にコンパクトに１つにまとめることが出来、ダイナミックダンパー６の調整時に開口する点検口13を一箇所で且つ小さくすることが出来、調整作業も行い易く、重錘５の振動にねじれを発生させず、重錘５の動きもスムーズに出来る。
【００４０】
また、図１及び図２（ａ）に示す第１実施形態のように、重錘５の固有振動数の調整方向が同一水平面上で且つ互いに直交する２方向に設定され、第１の取付体となる連結板９を中心にして、それぞれ一対以上のコイルバネ８を有する構成とすることで、直交する２方向に対する重錘５の固有振動数を調整することが出来る。
【００４１】
また、図２（ｂ）及び図３に示す第２実施形態のように、重錘５の固有振動数の調整方向が高さ方向に異なる水平面上で且つ互いに直交する２方向に第１の取付体となる連結板21，22を中心にして、それぞれ一対以上のコイルバネ８を設置した構成とすることで、直交する２方向に配置されるコイルバネ８をそれぞれ高さ方向に異なる水平面上に段違いに配置することで第１実施形態のように第１の取付体となる連結板９を平面方形状とした場合のデッドスペース16をなくすことが出来、ダイナミックダンパー６の調整時に開口する点検口13をより小さくするか若しくはそのスペースにより多くのコイルバネ８を設置することが出来る。
【００４２】
また、第２の取付体を方形状の枠体10とすることで、該第２の取付体をユニット化してフレーム３に対して一体的に着脱することが出来る。
【００４３】
また、本発明に係るダイナミックダンパー６によれば、ダイナミックダンパー６の調整時にダイナミックダンパー調整用バネユニット７を点検口13から容易に着脱することが出来るので調整作業も行い易く、開口する点検口13を中央部の一箇所で且つ小さくすることが出来、重錘５の振動にねじれを発生させず、重錘５の動きもスムーズに出来るダイナミックダンパー６として構成出来る。
【００４４】
また、本発明に係るダイナミックダンパー６の調整方法によれば、ダイナミックダンパー６の調整時に一箇所の小さな点検口13からダイナミックダンパー調整用バネユニット７をフレーム３及び重錘５から容易に取り外すことが出来、取り外した状態で、ダイナミックダンパー調整用バネユニット７に取り付けられたコイルバネ８のバネ定数を調整した後、再度、一箇所の小さな点検口13からダイナミックダンパー調整用バネユニット７をフレーム３及び重錘５に容易に取り付けることが出来、簡単な操作で重錘５の固有振動数を容易に調整することが出来る。
【産業上の利用可能性】
【００４５】
本発明の活用例として、建物構造体に固定されるフレームと、該フレームに対してバネによって振動可能に支持された重錘と、を有するダイナミックダンパーの該重錘の固有振動数を調整するためのダイナミックダンパー調整用バネユニット及びそれを備えたダイナミックダンパー並びにダイナミックダンパーの調整方法に適用することが出来る。
【図面の簡単な説明】
【００４６】
【図１】本発明に係るダイナミックダンパー調整用バネユニットを備えたダイナミックダンパーの第１実施形態の構成を示す断面説明図である。
【図２】（ａ）は本発明に係るダイナミックダンパー調整用バネユニットを備えたダイナミックダンパーの第１実施形態の構成を示す平面図、（ｂ）は本発明に係るダイナミックダンパー調整用バネユニットを備えたダイナミックダンパーの第２実施形態の構成を示す平面図である。
【図３】本発明に係るダイナミックダンパー調整用バネユニットを備えたダイナミックダンパーの第２実施形態の構成を示す分解斜視図である。
【符号の説明】
【００４７】
１…梁材
１ａ…下フランジ
２…アングル材
３…フレーム
３ａ…側辺部
３ｂ…底面部
3b1…開口部
3b2…貫通孔
４…バネ
５…重錘
６…ダイナミックダンパー
７…ダイナミックダンパー調整用バネユニット
８…コイルバネ
９…連結板
９ａ…貫通孔
10…枠体
10ａ…側辺部
10ｂ…フランジ部
10b1…貫通孔
11…ボルト部材
12…天井板
12ａ…扉
13…点検口
14…ボルト
15…ナット部
16…デッドスペース
17…積層ゴム
18…ナット
19…ロックナット
21，22…連結板
21ａ，22ａ…突出部
21a1，22a1…貫通孔
【図１】
2008101390.tif 000003
【図２】
2008101390.tif 000004
【図３】
2008101390.tif 000005